(57)【特許請求の範囲】
【請求項１】
キャッシュカード、クレジットカード、ポイントカードや診察券、会員券等の規定の大きさの各種カード類（Ｃ）を識別可能に収納するためのカードケース（１０）であって、
略矩形状の前面部（３）および背面部（４）をその一辺を支点（５）として所定の厚みをもたせて二つ折り可能に接合することで開閉自在に構成したカードケース本体（２）と、該カードケース本体の二つ折りの支点側にその基端辺が取り付けられた矩形薄板状の複数のカード保持体（６）と、を備え、
該カード保持体は、各種カード類よりも大きな薄板状の中板部（７）と、該中板部の表裏に設けられ、かつ、先端辺側の開口部から各種カード類を差し込むことで収納した各種カード類を少なくともその一部を露出した状態で保持するポケット部（８）と、を有し、
前記カード保持体は、収納した各種カード類と前記中板部との摩擦係数が小さく、収納した各種カード類と前記ポケット部との摩擦係数が大きくなるように構成されている、ことを特徴とするカードケース。
【請求項２】
前記ポケット部（８）の内面には、その深部にシリコンゴムが加工されており、当該部分における各種カード類（Ｃ）と前記ポケット部との摩擦係数が大きくなっている、ことを特徴とする請求項１に記載のカードケース。
【請求項３】
前記ポケット部（８）は、収納した各種カード類（Ｃ）の片面の一部が露出する形状に形成されている、ことを特徴とする請求項１又は２に記載のカードケース。
【請求項４】
前記ポケット部（８）は、収納した各種カード類（Ｃ）の左右いずれか一側の露出が多くなるように前記開口部（９）が傾斜して形成されている、ことを特徴とする請求項３に記載のカードケース。
【請求項５】
前記ポケット部（８）は、カード保持体（６）の基端側の幅が狭くなるように奥側に向かってテーパー状に形成されている、ことを特徴とする請求項１乃至４のいずれか一項に記載のカードケース。
【請求項６】
前記ポケット部（８）は透明または半透明の素材を用いて形成されている、ことを特徴とする請求項１乃至５のいずれか一項に記載のカードケース。
【発明の詳細な説明】
【技術分野】
【０００１】
本発明は、キャッシュカード、クレジットカード、ポイントカードや病院の診察券、会員券などの各種カードを収納するためのカードケースに関するものである。
【背景技術】
【０００２】
従来より、キャッシュカードやクレジットカード類を複数収納するケースとして、たとえば図９に示したように、ケース本体（１５）の内部にカード類を収納するポケット（１６）を蛇腹状に多数並列に設け、ケース本体（１５）を扇状に広げることによりカード類を収納するポケット（１６）がそれぞれ開き、各ポケット（１６）に収納したカードを開口部分から取り出すように構成したものが提供されている。
【０００３】
また図１０に示した特許文献１の「カード類の収納構造」のように、ケース本体（１７）とその上部にカード（Ｃ）を差し込む差込孔（１８）を設けたカード保持部（１９）を備え、ケース本体（１７）を扇状に開き、カード保持部（１９）に設けられた差込孔（１８）に差し込まれたカード類が取り出せるように構成したものが存在する。
【先行技術文献】
【特許文献】
【０００４】
【特許文献１】登録実用新案第３１２３２１５号公報
【発明の概要】
【発明が解決しようとする課題】
【０００５】
しかし、図９の構造のカードケースや図１０の構造のカードケースでは、収納した各カードの上部のみしか露出しないため使用者は各カードの識別をしづらく、また各カードはそれぞれ接近した状態で収納されているため指で摘みづらく取り出しづらいといった難点があった。
【０００６】
さらに、図１０の構造のカードケースでは、カードを差込孔（１８）から深く差し込まなければ安定的に保持できず、差し込みが甘いと容易に抜け落ちるおそれがあるといった問題があった。  
【０００７】
本発明は上記問題点を解決するために発案されたものであり、各種カード類を識別が容易な状態で収納し、かつ、カードの出し入れも容易に行うことができるカードケースを提供することを目的とする。
【課題を解決するための手段】
【０００８】
上記課題を解決するため本発明は、キャッシュカード、クレジットカード、ポイントカードや診察券、会員券等の規定の大きさの各種カード類（Ｃ）を識別可能に収納するためのカードケース（１０）であって、
略矩形状の前面部（３）および背面部（４）をその一辺を支点（５）として所定の厚みをもたせて二つ折り可能に接合することで開閉自在に構成したカードケース本体（２）と、該カードケース本体の二つ折りの支点側にその基端辺が取り付けられた矩形薄板状の複数のカード保持体（６）と、を備え、
該カード保持体は、各種カード類よりも大きな薄板状の中板部（７）と、該中板部の表裏に設けられ、かつ、先端辺側の開口部から各種カード類を差し込むことで収納した各種カード類を少なくともその一部を露出した状態で保持するポケット部（８）と、を有すし、
前記カード保持体は、収納した各種カード類と前記中板部との摩擦係数が小さく、収納した各種カード類と前記ポケット部との摩擦係数が大きくなるように構成されている、ことを特徴とするカードケースを提供する。
【０００９】
ここで、前記ポケット部（８）の内面には、その深部にシリコンゴムが加工されており、当該部分における各種カード類（Ｃ）と前記ポケット部との摩擦係数が大きくなっている、ものとする。
【００１０】
また、前記ポケット部（８）は、収納した各種カード類（Ｃ）の片面の一部が露出する形状に形成されている、ことが好ましい。
【００１１】
特に、前記ポケット部（８）は、収納した各種カード類（Ｃ）の左右いずれか一側の露出が多くなるように前記開口部（９）が傾斜して形成されている、ことが好ましい。
【００１２】
また、前記ポケット部（８）は、カード保持体（６）の基端側の幅が狭くなるように奥側に向かってテーパー状に形成されている、ことも好ましい。
【００１３】
加えて、前記ポケット部（８）は透明または半透明の素材を用いて形成されている、ことが好ましい。
【発明の効果】
【００１４】
本発明によれば、複数のカード保持体をその基端辺で束ねるようにしてカードケース本体に取り付けているため、使用者はカードケース本体を開けることでカード保持体に収納した各種カード類を見開き状に見ることができその識別が容易であり、また、各種カード類のカード保持体のポケット部への収納やポケット部からの取り出しも、カード保持体の先端辺側の開口部から中板部に沿って行うことで容易に行うことができる。もちろんカードケース本体の周縁にファスナーなどを設けてこれを閉めてやれば、カード保持体に収納した各種カード類が抜け落ちてしまう心配はない。
【００１５】
ここで、収納した各種カード類と前記中板部との摩擦係数を小さくしてやることで、各種カード類のポケット部への出し入れを中板部に沿って滑らすようにして容易に行うことができ、また、収納した各種カード類と前記ポケット部との摩擦係数を大きくしてやることで、一度差し入れてポケット部に収納した各種カード類がカードケース本体を開いた状態のときに不用意に抜け落ちることを回避することができる。
【００１６】
また、前記ポケット部を、収納した各種カード類の片面の一部が露出する形状に形成してやることで、収納した各種カード類を指で摘みまたは指で押し出す等して取り出しやすくすることができる。
【００１７】
特に、前記ポケット部を、収納した各種カード類の左右いずれか一側の露出が多くなるように前記開口部を傾斜して形成してやることで、ポケット部への各種カード類の差し込みやすさとポケット部からの各種カード類の取り出しやすさを両立することができる。
【００１８】
また、前記ポケット部をカード保持体の基端側の幅が狭くなるように奥側に向かってテーパー状に形成してやることで、ポケット部の奥側に各種カード類が深く差し込まれるにつれて、ポケット部が差し込まれた各種カード類に押し当てられる力も強くなり、その間に作用する摩擦力も大きくなるため、各種カード類が不用意に抜け落ちることをより確実に回避することができる。
【００１９】
加えて、前記ポケット部を透明または半透明の素材を用いて形成してやれば、使用者は見開き状にカード保持体を開くことで、容易に収納した各種カード類を識別することができ、迅速に目的のカードを取り出して使用することができる。
【図面の簡単な説明】
【００２０】
【図１】カードケースを閉じた状態を示した図であり、（ａ）は側面図、（ｂ）は正面図である。
【図２】カードケースを開いた状態を示した側面図である。
【図３】ポケット部にカード類を収納した状態を示したカード保持体の正面図である。
【図４】中央に窓部を形成したポケット部を表した図である。
【図５】開口部とつなげた長孔状の切り欠きを形成したポケット部を表した図である。
【図６】開口部を傾斜させて形成したポケット部を表した図である。
【図７】内面にシリコンゴムを加工したポケット部を表した図である。
【図８】カード保持体の基端側の幅が狭くなるように奥側に向かってテーパー状に形成されたポケット部を表した図である。
【図９】カード類を収納するポケットを蛇腹状に並列に設けた従来のカードケースを示す斜視図である。
【図１０】ケース本体とその上部にカードを差し込む差込孔を設けた従来のカードケースを示す側面図である。
【発明を実施するための形態】
【００２１】
以下、この発明を実施するための形態を、図面に基づいて説明する。
【００２２】
図１は本実施例のカードケースを閉じた状態を示した図であり、（ａ）はカードケース本体２を閉じた状態の側面図、（ｂ）はその正面透過図である。また図２はカードケースを開いた状態を示した側面図である。
【００２３】
図１および図２に示したように、本実施例のカードケースは名刺サイズの各種カード類Ｃ（キャッシュカード、クレジットカード、ポイントカードや診察券、会員券等）をその長手方向に横並びに収納するもので、収納した各種カード類Ｃの識別やその取り出しやすさ等に配慮したものである。
そのための本実施例のカードケースは、カードケースの外形をなすカードケース本体２と、カードケース本体２の内部に設けられ各種カード類Ｃを収納する複数のカード保持体６とから構成されている。
【００２４】
カードケース本体２は、厚布や合皮など若干のクッション性を有する材料を用いて略矩形状に形成した前面部３および背面部４をその一辺を支点５として所定の厚みをもたせて二つ折り可能に接合し、他の三辺にファスナー１を設けることで開閉自在に構成したものであり、閉じた状態で名刺サイズの各種カード類Ｃを２枚横並びにして収納できる大きさとなっている。また閉じた状態のカードケース本体２の厚みは、次に説明するカード保持体６の収容枚数にもよるが、普段から持ち歩くことを考慮して２ｃｍ程度となっている。なおカードケース本体２をファスナー１により封止する構成とする以外にも、二つ折りにして閉じたカードケース本体２をベルトやバンドを掛け止めることによって不用意に開いてしまうことがないようにする構造としてやってもよい。
【００２５】
カード保持体６は、カードケース本体２の二つ折りの支点側５にその基端辺が取り付けられ、名刺サイズの各種カード類Ｃを２枚横並びにして収納する矩形薄板状をしており、カードケース本体２内に収納される大きさとなっている。
このカード保持体６は、各種カード類Ｃを２枚横並びにした縦横の長さよりも一回り（各１割程度）大きな大きさの矩形状の中板部７と、中板部７の表裏面に各２つ横並びで設けられ、かつ、先端辺側の開口部９から各種カード類Ｃを差し込むことで収納した各種カード類Ｃの一部を露出した状態で保持する計４つのポケット部８とから構成されている。本実施例では１１枚のカード保持体６がカードケース本体２の支点側５に取り付けられているため、ポケット部８は計４４あることになる。
ここでカード保持体６のカードケース本体２への取り付けは、カードケース本体２の前面部３および背面部４の各一辺側を支点５として二つ折りする際に厚みをなすマチ部分に１１枚のカード保持体６の基端辺が２ｍｍ程度の間隔をあけて平行に取り付けられているため、ファスナー１を開いてカードケース本体２の前面部３および背面部４を見開くように展開してやることで、各カード保持体６は容易にページをめくるがごとくできるため、収納した各種カード類Ｃも全面を視認できその識別も容易に行うことができる。
【００２６】
カード保持体６の中板部７は合成樹脂材料を用いて官製はがき程度の硬さに作成された薄板であり、その表裏面はともに平滑面となっている。また先端辺側の両隅は使用者の手に刺さることのないように角が丸められて形成されている。なおこの中板部７は透明であってもよいが、色分けしてやることで、使用者が中板部７の色に基づいて各種カード類Ｃの識別をよりしやすいようにしてやってもよい。
【００２７】
一方、カード保持体６のポケット部８は柔軟で透明（または半透明）な無色（または有色の）合成樹脂材料を用いて作成されており、開口部９を除く三辺が中板部７に接着されている。中板部７へのポケット部８の接着は図３に破線で示したようにポケット部８の周縁の三辺を断続して熱融着することにより行われ、接着した状態で中板部７とポケット部８とはほぼ面接触しており、その間には各種カード類Ｃが１枚のみ収納できる程度の密着具合となっている。
【００２８】
ポケット部８の形状は収納した各種カード類Ｃの一部を露出させるものであればよく、図３に例示したように収納した各種カード類Ｃを開口部側９からその１／４程度露出させるものの他、例えば図４に示したようにポケット部８の中央に窓部１３を形成して収納した各種カード類Ｃの中央部を露出させるもの、図５に示したようにポケット部８の開口部９とつながる長孔状の切り欠き１１を形成して収納した各種カード類Ｃの中央部から開口部９にかけて露出させるものなど様々な形状とすることができる。なおこの露出はポケット部８に収納した各種カード類Ｃを指で摘んだり、指で押し出したりする際の便宜のためのものである。
【００２９】
または図６に示したように、ポケット部８の開口部９を傾斜して形成して収納した各種カード類Ｃの左右いずれか一側を多く露出させるようにしたものとしてもよい。図６に示したようにポケット部８の左側が深く、ポケット部８の右側が浅くなるように、開口部９をＳ字状に湾曲してやれば、右利きの場合、通常、左手でカードケースを保持して右手で各種カード類Ｃの出し入れを行うため、開口部９の右斜め前からカード類の左下角を差し込みやすく、また、ポケット部８に差し込んだ各種カード類をその右上角を指で摘んで引き出しやすくすることができる。
【００３０】
また各種カード類Ｃと接するポケット部８の内面は、収納した各種カード類Ｃの抜け落ちを防止すべく摩擦係数を大きくするための加工がなされている。
かかる加工の具体例としては、ポケット部８の内面全面を梨肌状に荒らして加工したもの、ポケット部８の内面にシリコンゴムを加工したものなどがある。ここでポケット部８の内面にシリコンゴムを加工する場合、内面全面にシリコンゴムを加工（またはポケット部８自体をシリコンゴムを用いて作成）してしまうと各種カード類Ｃとの摩擦力が大きくなりすぎその出し入れがしにくくなることも考えられるため、場合によっては例えば、図７（ａ）に示したようにポケット部８内面の深部にのみシリコンゴム１２を加工したり、図７（ｂ）に示したようにポケット部８内面に散点的にシリコンゴム１２を加工したり、図７（ｃ）に示したようにポケット部８内面の深部にシリコンゴム１２を加工するとともにそれ以外の部分に散点的にシリコンゴム１２を加工するようにしてやることも好ましい。
このようにポケット部８内面に部分的にシリコンゴムを加工してやれば、各種カード類Ｃを出し入れのしやすく、かつ、収納した各種カード類Ｃを抜け落ちにくくしてやることができる。
【００３１】
このように形成した本実施例のカードケースの使用は、各種カード類Ｃの収納に際しては、カードケース本体２を見開き状に開き、カード保持体６の空いているポケット部８に１枚のカードを中板部７上を滑らせるようにしてポケット部８の奥側まで差し込んでやる。そしてカードケース本体２を二つ折りにして閉じ、ファスナー１を閉めるようにして行われる。一方、各種カード類Ｃの取り出しに際しては、カードケース本体２を見開き状に開いて所望のカードを見つけ、そのカードＣの露出した部分を指で摘んで引き出し、または、露出した部分を指の腹で押してカードＣを中板部７に押し付けるようにして滑らして押し出すようにして行われる。
【００３２】
本実施例のカードケースではポケット部８の開口部９が保持体６の基端辺側と反対側の先端辺側に設けられているため使用者は各種カード類Ｃの収納や取り出しがしやすく、また、各種カード類Ｃの収納や取り出しも中板部７に沿ってスムーズに行うことができる。さらに中板部７の表面を滑らかに、かつ、ポケット部８の内面を滑り止め加工してやることで、ポケット部８の開口部９が保持体６の先端辺側に設けられていても不用意に収納した各種カード類Ｃが抜け落ちてしまうことも防ぐことができる。
【００３３】
図８に本実施例のカード保持体６の変形例を図示した。このカード保持体６では、そのポケット部８がカード保持体６の基端側の幅が狭くなるように奥側に向かってテーパー状１４に形成されている。すなわちポケット部８はその開口部９の幅が収納する各種カード類Ｃの横幅よりも１割程度広くなっている一方、ポケット部８の最深部ではその幅が各種カード類Ｃの横幅とほとんど同程度の幅となるように、ポケット部８の幅が奥側に向かって徐々に狭くなるように形成されている。なおポケット部８の内面には収納した各種カード類Ｃの抜け落ちを防止すべく摩擦係数を大きくするための加工がなされていることは上記と同様である。
【００３４】
このようにポケット部８の形状を開口部９側を広く奥側を狭く形成することにより、ポケット部８に各種カード類Ｃを収納する際には差し込みがしやすく、また、各種カード類Ｃをポケット部８の奥側にまで差し入れるとそのカードＣが中板部７とポケット部８との間に強く挟まれることになるためより抜け落ちにくくすることができる。特にポケット部８の内面の奥側に部分的に滑り止め加工している場合には、ポケット部８の奥側に行くに従い各種カード類Ｃとポケット部８との摩擦力を高めることができるため好ましい。
【００３５】
なお以上に説明した本実施例のカードケースは、各種カード類Ｃをその長手方向に２枚並べ中板部７の表裏面のポケット部８に収納するものであるが、それ以外にも、中板部７を左右に二分割するものや、２枚を並べることなく１枚のみとするもの、各種カード類Ｃの収納方向を９０度回転させたもの、中板部７の片面のみにポケット部８を設けたものなど使用者のニーズによりその形態を適宜変更して作成することができる。この場合であっても、カード保持体６の中板部７の表面を滑らかにする一方、ポケット部８の内面に滑り止めの工夫をしたり、ポケット部８に窓部１３を形成したり、開口部９の形状を工夫したりすることで、各種カード類Ｃを差し込みやすくし、またポケット部８に収納した各種カード類Ｃの抜け落ちを防止することが好ましいのはいうまでもない。
【符号の説明】
【００３６】
１  ファスナー
２  カードケース本体
３  前面部
４  背面部
５  支点
６  カード保持体
７  中板部
８  ポケット部
９  開口部
１０  カードケース
１１  切り欠き
１２  シリコンゴム
１３  窓部
１４  テーパー
１５  ケース本体
１６  ポケット
１７  ケース本体
１８  差込孔
１９  カード保持部
Ｃ    カード類
【要約】
【課題】各種カード類を識別が容易な状態で収納し、かつ、カードの出し入れも容易に行うことができるカードケースを提供する。
【解決手段】略矩形状の前面部（３）および背面部（４）をその一辺を支点（５）として所定の厚みをもたせて二つ折り可能に接合することで開閉自在に構成したカードケース本体（２）と、該カードケース本体の二つ折りの支点側（５）にその基端辺が取り付けられた矩形薄板状の複数のカード保持体（６）と、を備え、該カード保持体は、各種カード類Ｃよりも大きな薄板状の中板部（７）と、該中板部の表裏に設けられ、かつ、先端辺側の開口部（９）から各種カード類を差し込むことで収納した各種カード類を少なくともその一部を露出した状態で保持するポケット部（８）と、を有する。
【選択図】図２【図１】
0005411383.tif 000002
【図２】
0005411383.tif 000003
【図３】
0005411383.tif 000004
【図４】
0005411383.tif 000005
【図５】
0005411383.tif 000006
【図６】
0005411383.tif 000007
【図７】
0005411383.tif 000008
【図８】
0005411383.tif 000009
【図９】
0005411383.tif 000010
【図１０】
0005411383.tif 000011